(57)【特許請求の範囲】
【請求項１】
タッチパネルアセンブリを形成する方法であって、
ガラス板の第１の表面に堆積した導電性材料層内に電極パターンを形成することと、
前記ガラス板の第２の表面上にカラーフィルタ層を形成することであって、前記第２の表面が前記第１の表面の反対側にある、形成することと、
薄膜トランジスタ（ＴＦＴ）表示層を前記カラーフィルタ層に接続して、中間スタックを作成することと、
前記ＴＦＴ表示層の少なくとも一部と前記カラーフィルタ層との間に液晶材料を配置することと、
少なくとも１つの電気コネクタを前記中間スタックに接続することと、
第１の偏光子を前記中間スタックの上面に、かつ第２の偏光子を前記中間スタックの下面に接続することであって、前記第１の偏光子が、前記第２の偏光子の第２の偏光に対して約９０度に配向された第１の偏光を有する、接続することと、
カバーガラス板を前記中間スタックに接続して、前記タッチパネルアセンブリを形成することであって、前記カバーガラス板が、その上に形成された第２の組の電極を形成するパターン化された上部導電性層を有する、形成することと、を含む、方法。
【請求項２】
前記ガラス板を複数の個々のセルに分割するために、前記カラーフィルタ層およびＴＦＴ表示層とともに前記ガラス板にパターンを切り込むことをさらに含む、請求項１に記載の方法。
【請求項３】
前記少なくとも１つの電気コネクタを前記中間スタックに接続することは、前記少なくとも１つの電気コネクタのうちの１つの電気コネクタを前記個々のセルのうちの１つに接続することを含む、請求項２に記載の方法。
【請求項４】
前記個々のセルはそれぞれ、関連した種類の表示デバイスに対応する大きさを有する、請求項２に記載の方法。
【請求項５】
前記電極パターンは、前記導電性材料層内に形成された複数の平行なストリップを含む、請求項１に記載の方法。
【請求項６】
前記電極パターンは、一対の前記平行なストリップの間に浮遊電極素子をさらに含む、請求項５に記載の方法。
【請求項７】
前記浮遊電極素子に対して使用される長さを調整することをさらに含み、前記浮遊電極素子の前記長さの増加は、前記一対の前記平行なストリップの間の電気的短絡の可能性を低減させる、請求項６に記載の方法。
【請求項８】
前記導電性材料層は、インジウムスズ酸化物（ＩＴＯ）、グラフェン、カーボンナノチューブ、または金属メッシュ、のうちの少なくとも１つを含む、請求項１に記載の方法。
【請求項９】
前記タッチパネルアセンブリを積層することをさらに含む、請求項６に記載の方法。
【請求項１０】
タッチパネルスタックであって、
カバーガラス層と、
前記カバーガラス層に近接して位置付けられた第１の偏光子と、
前記カバーガラス層上に形成された第１の組の電極と、
薄膜トランジスタ（ＴＦＴ）表示構成要素と、
前記カバーガラス層と前記ＴＦＴ表示構成要素との間に位置付けられたガラス板であって、前記ガラス板の第１の表面上に形成されたカラーフィルタ層を有する、ガラス板と、
前記カラーフィルタ層と前記ＴＦＴ表示構成要素との間の液晶層と、
前記ＴＦＴ表示構成要素の第１の側に近接した第２の偏光子であって、前記第１の側が前記ＴＦＴ表示構成要素の第２の側の反対側にあり、前記ＴＦＴ表示構成要素の前記第２の側が前記ガラス板に近接している、第２の偏光子と、
前記ガラス板の第２の表面上に形成された第２の組の電極であって、前記第２の表面が前記第１の表面の反対側にあり、前記第２の組の電極は前記第１の偏光子に接続されており、前記第２の組の電極が前記第１の組の電極から分離されている、第２の組の電極と、を備える、タッチパネルスタック。
【請求項１１】
前記第１の組の電極または前記第２の組の電極のうちの少なくとも１つに電圧を印加するための少なくとも１つのコネクタをさらに備える、請求項１０に記載のタッチパネルスタック。
【請求項１２】
前記液晶層の状態の制御を可能にする少なくとも１つのコネクタをさらに備え、前記液晶層の状態は、前記タッチパネルスタックの透明度を決定する、請求項１０に記載のタッチパネルスタック。
【請求項１３】
前記第１の偏光子は、前記第２の偏光子の第２の偏光に対して約９０度に配向された第１の偏光を有する、請求項１０に記載のタッチパネルスタック。
【請求項１４】
前記第１の組の電極または前記第２の組の電極のうちの少なくとも１つは、少なくとも１つの浮遊電極素子によって分離された少なくとも一対の平行なストリップを含むようにパターン化され、前記少なくとも１つの浮遊電極素子は、前記一対の平行なストリップから電気的に絶縁されている、請求項１０に記載のタッチパネルスタック。
【請求項１５】
前記第１の組の電極または前記第２の組の電極のうちの少なくとも１つは、インジウムスズ酸化物（ＩＴＯ）、グラフェン、カーボンナノチューブ、または金属メッシュ、のうちの少なくとも１つから形成されている、請求項１０に記載のタッチパネルスタック。
【発明の詳細な説明】
【技術分野】
【０００１】
関連出願の相互参照
本出願は、２０１２年２月２７日出願の米国特許仮出願第６１／６０３，５４７号、表題「Ｈｙｂｒｉｄ  Ｏｎ−Ｃｅｌｌ  Ｔｏｕｃｈ  Ｐａｎｅｌ」および２０１２年１２月１９日出願の米国特許出願第１３／７２０，７００号、表題「Ｔｏｕｃｈ  Ｐａｎｅｌ  Ａｓｓｅｍｂｌｉｅｓ  ａｎｄ  Ｍｅｔｈｏｄｓ  ｏｆ  Ｍａｎｕｆａｃｔｕｒｅ」の優先権を主張するものであり、全ての目的のためにこれらの全体が本明細書に組み込まれる。
【背景技術】
【０００２】
タブレット型コンピュータおよびスマートフォンなどの携帯デバイスを含む様々なコンピュータデバイスの利用が普及している。これらのデバイスは、典型的には、多くの場合、タッチ感応ディスプレイを含み、ユーザが表示画面のタッチパネルに触れることによってデバイスに入力することを可能にする。従来のタッチパネル設計および製造プロセスは複雑で高価である。複雑性は、大きなパネル上での故障をもたらす小欠陥や高抵抗性の透明な導体層に対する要望などの要素に加えて、より大きな大きさに拡大することを困難にする。さらに、「透明な」導体パターンは、パネルの抵抗が低減して荷重特徴が改善するときに、多くの場合、可視的になる。したがって、改善された設計および製造プロセスは、少なくともこれらの理由のため望ましい。
【図面の簡単な説明】
【０００３】
本開示に従う様々な実施形態は、図面を参照して説明される。  
【図１】様々な実施形態によるタッチパネルを含み得るコンピュータデバイスの一例を図解する。
【図２（ａ）】ＩＴＯパターンの一例および様々な実施形態に従って得られ得る関連結果を図解する。
【図２（ｂ）】ＩＴＯパターンの一例および様々な実施形態に従って得られ得る関連結果を図解する。
【図２（ｃ）】ＩＴＯパターンの一例および様々な実施形態に従って得られ得る関連結果を図解する。
【図２（ｄ）】ＩＴＯパターンの一例および様々な実施形態に従って得られ得る関連結果を図解する。
【図３】様々な実施形態に従って形成され得る例示のカラーフィルタパターンを図解する。
【図４】少なくとも１つの実施形態に従う製造の中のタッチパネル構成要素の一例を図解する。
【図５】少なくとも１つの実施形態に従う製造の中のタッチパネル構成要素の一例を図解する。
【図６】少なくとも１つの実施形態に従う製造の中のタッチパネル構成要素の一例を図解する。
【図７】少なくとも１つの実施形態に従う製造の中のタッチパネル構成要素の一例を図解する。
【図８】少なくとも１つの実施形態に従う製造の中のタッチパネル構成要素の一例を図解する。
【図９】少なくとも１つの実施形態に従って形成されたタッチパネルアセンブリの一例を図解する。
【図１０】様々な実施形態に従って利用され得るタッチパネルを製造する例示のプロセスを図解する。
【図１１】様々な実施形態に従うタッチパネルを含むことができる例示のデバイスを図解する。
【図１２】様々な実施形態に従って利用され得る例示のデバイスの一組の構成要素を図解する。
【発明を実施するための形態】
【０００４】
本開示の様々な実施形態に従うシステムおよび方法は、電子デバイスとともに用いられるためのタッチパネルアセンブリの作成に対する従来の手法において経験された上述および他の不備のうちの１つ以上を打開し得る。具体的には、様々な実施形態は、従来のタッチパネル設計に関して改善された拡張性を提供することが可能な層状タッチパネル構造を製造する。少なくともいくつかの実施形態において、透明な導体層は、従来の手法におけるような付加的なガラス板の替わりに、カラーフィルタ、偏光子、またはカバーガラス層などの層状構造の既存の素子上に直接、配置され得る。このような手法は、優れた電気性能およびタッチ性能の維持とともに、生産費用を低減させることに役立つことが可能であると同時に、導体パターン可視性を低減させる。
【０００５】
様々な他の適用、プロセス、および使用は、様々な実施形態について以下に提示される。
【０００６】
図１は、様々な実施形態に従うコンピュータデバイス１００とともに利用され得るタッチパネル表示画面１０２の一例を図解する。このような構成に関して知られているように、ユーザは、コンピュータデバイスに対する入力を決定するために、タッチスクリーンが接点だけでなく１つ以上の接点の場所も検出できるように、指または他の物体をタッチスクリーン１０２に接触させる、あるいは少なくとも接近させることにより、デバイスと情報をやり取りし得る。上述のように、このようなタッチパネルの製造に対する従来の手法には様々な欠如がある。しかしながら、本明細書に記述され示唆される様々な実施形態に従う手法は、異なる種類の２層投影型静電容量方式タッチパネルアセンブリの構造を利用する。少なくとも１つの実施形態は、タブレット、スマートフォン、およびコンピュータなどのデバイス用に、直接接合されたタッチパネルおよび液晶ディスプレイ（ＬＣＤ）スタックアップを利用する。このような構造は、いずれのサイズのタッチパネルにも用いられ得るが、対角線が５インチ以上の表示サイズなどの大きなフォームファクタにとって特に有利になり得る。従来のガラス／ガラスタッチパネル設計は、化学強化ガラス、光学透明接着剤（ＯＣＡ）、およびセンサガラスとして機能する別のガラス片から作られるカバーガラスを用いる。本明細書で論じられる実施形態は、このような２つのガラス片を必要としないが、スタックアップの表面付近に配置された別の導電層はもちろん、むしろディスプレイのカラーフィルタ（または他の層）の頂面を利用する。インジウムスズ酸化物（ＩＴＯ）は、その高い透明度、低い色ずれ、高い導電性、およびパターニングの容易さにより、センサパターンを作成するために用いられ得る透明な導体材料の一例である。ＩＴＯ層などの導体を、カラーフィルタ、偏光子、またはカバーガラスなどの層の上に配置することによって、例えば、タッチパネルを製造するプロセスは大幅に簡略化し得る。生産費用も劇的に低減され得ると同時に、低減するＩＴＯパターンの可視性に加えて、優れた電気性能およびタッチ性能を維持する。このような技術に対する別の重要な利点は、１つの層が大きなカラーフィルタ上で処理され得ることである。ガラスの生成サイズは、多くのタッチパネル販売会社によって現在、生産されているものよりはるかに大きくなり得る。したがって、マザーガラスごとの切り込みの数は、０．６メートル×０．８メートルのガラスの大きさに関するたった約２４の配列とは対称的に、２．２メートル×２．５メートルの大きなガラスの場合の約２４０の配列の数となってもよい（１０倍に増加）。タッチパネル設計の一部にカラーフィルタを用いることのスケールメリットは、このため非常に大きくなり得るが、そのプロセスも非常に簡略化される。
【０００７】
所定の従来の設計と比較したおよそ５０から７５％であると見込まれる少なくとも１つの実施形態における費用低減は、少なくともいくつかの異なる要因にある程度、起因する。例えば、カラーフィルタ上の高生産センサパターン、カラーフィルタ上の金属配線の省略、カラーフィルタ上のＩＴＯパターンに対するフレキシブルプリント回路（ＦＰＣ）の直接結合、およびカラーフィルタおよびＬＣＤプロセスとの互換性の組み合わせは、ＬＣＤ販売会社が、例えば、カラーフィルタ上に付加的なＩＴＯパターンを低費用かつ低リスクで提供し得ることを意味する。それが欠陥に対して非常に大きい耐性があるため（現在の典型的なＩＴＯセンサパターンよりはるかに大きい）、このセンサパターンからの生産は、１００％近くになることが予想される。最上部のＩＴＯ層上で、この層は、１）パターン化され、カバーガラスに付着したＩＴＯ膜、２）カバーガラス表面上にレーザーエッチングされたＩＴＯパターン、３）ガラス片に堆積し、光学透明接着剤（ＯＣＡ）によりカバーガラスに付着したＩＴＯパターン、４）偏光子の頂部に付着し得るＩＴＯ膜またはガラス、および５）偏光子の表面に直接、堆積し得るＩＴＯなどの多くの方法で製造することができる。偏光子にとって害のない方法（例えば、非水エッチング方法）でエッチングされ得る、または堆積し得る他の材料は、様々な実施形態の範囲内において、偏光子膜の表面で直接、用いられ得る。この頂部センサパターンは、欠陥に対して高い耐性を持つというＩＴＯセンサパターン特徴を利用することが可能であり、例えば、５０ｕｍＩＴＯ膜を用いるこの層に対する予測収率は、９５％を超えるであろう（この場合もやはり、現在の構造よりもはるかに良好である）。
【０００８】
同時多点タッチスクリーン用のセンサガラスは、すべてが単一層上にあるダイアモンドの接触面となり得るＸ−Ｙパターンから構成され得る。所定の従来の手法におけるこれらのダイアモンドは、製造中、破損する傾向がある小さいＩＴＯブリッジを用いてつながる。ＩＴＯブリッジはまた、およそ１μｍの厚さのポリイミドなどの被膜材料により互いに離間される。ＩＴＯは典型的に、センサガラスの両側上でスパッタされ、一方の層は感応層を形成し、他方の層はＬＣＤ雑音を遮る。センサガラスを裏返しにして、複数の被膜工程を行うこのプロセスは、時間や費用がかかり、また注意深いプロセス制御がないと収率が少なくなる。
【０００９】
本明細書で論じられる様々な実施形態のＸおよびＹ層は異なる層上にあるため、狭いブリッジおよび被膜層の使用は要求されない。さらに、異なる層の使用は、特定の利点のために、構造を注意深く調整させる。一組の送信電極として機能する下層は、ＬＣＤからの雑音を遮るために用いられ得る。受信電極として動作する上部電極は、デバイス上の水滴に対する静電結合を最小限にし、また同相雑音を最小限にするように調整され得ると同時に、指タッチ信号を最大限にするように最適化される。
【００１０】
様々な実施形態に従う構造は、（ディスプレイの露出した表面に対して）偏光子の「下」のＩＴＯ層の１つを配置するため、ＩＴＯパターンの可視化の陰性例なしにディスプレイを見るユーザの能力の改善もできる。また、ＩＴＯは、カラーフィルタプロセスの前に堆積し得るため、ＩＴＯは高温で処理されることが可能であり、また高温で焼きなましされることが可能であり、その結果、ＩＴＯ層は、現在、使用されているほとんどのＩＴＯセンサと比較して、色ずれを最小限にする。７インチ以上の大きさの多くのデバイス上で、ＩＴＯパターンは、戸外などの明るい照明条件下で、または明るい室内照明の元では非常によく見える。本明細書で論じられるこのようなセンサスタックアップを構築する製造プロセスは、プロセス工程の数を低減し、電気検査ではなく自動目視検査を利用し、かつ複雑さを軽減した部品を利用して収率を最大限にし得るといった点において独特である。
【００１１】
このようなタッチパネル構成要素を製造するための例示のプロセスは、図２から図９を参照して説明される。このようなプロセスは、図２（ａ）に図解されるように、適切な大きさの原料ガラス片（例えば、約２から３メートル×２から３メートルの板）などの適切な基板２００の取得を含む。必要に応じて、ガラスは薄くしてもよい。ＩＴＯなどの導電性材料の層は、従来のＩＴＯスパッタリングまたは蒸発などのプロセスを用いて堆積し得る。ＩＴＯ層は、約２００オーム／スクェアのシート抵抗などの任意の適切な抵抗を有するように堆積し得る。ＩＴＯはその後、所望のパターン２０２を作成するように、エッチングされ得る。図２（ｂ）は、ＩＴＯの導電性ストリップ２２４の配列を含む相対的に低い収率のパターン２２２を図解する。この例のガラス片は、約２メートル×２メートルである。各ストリップの幅は約５ｍｍであり、各ストリップの長さは、およそＬＣＤ活性化領域の長さ（または幅）である。パターン内の電極間の空間は、約１０ミクロンから約５０ミクロンの間の長さとなることが可能であり、一例においては約３０ミクロンになり得る。カラーフィルタ上の伝導性電極に関する具体的なパターンを利用することにより、このような構造の収率は大幅に改善され得る。例えば、図２（ｃ）は、長い成形ストリップ２３２の配列を含む改善された収率形式の例示の構造２３０を図解し、散在された浮遊電極素子２３４の配列は、同一の導体層から形成されている。例えば、パターンは、ＩＴＯの堆積した層にエッチングされ得る。このようなパターンは、経済的生産を確保するために、収率を確実に１００％に近づけるために利用されてもよい。少なくともいくつかの実施形態における非常に高い生産構造の必要性は、少なくともある程度は、カラーフィルタはマザーガラス形式のＬＣＤ薄膜トランジスタ（ＴＦＴ）ガラスに装着されるという事実に起因し、かつ、機能的な高価格のＬＣＤのＴＦＴ基板は不完全なカラーフィルタの部品に装着されてもよい。
【００１２】
図２（ｃ）は、図２（ｂ）に図解される導電性パターン２３０の一部の分解図２４０を図解する。この例において、第１の長い電極ストリップ２４２の一部および第２の長い電極ストリップ２４４の一部は、電極ストリップ間に広がる空間２４８によって分離され、空間は、先述のように、少なくともいくつかの実施形態において、およそ数十ミクロンになり得る幅ｇを有する。電極ストリップ２４２、２４４は、送信電極と称され得る。いずれの電源にも接続されていない浮遊電極素子２４６は、これらの部分の間にあり、少なくともいくつかの実施形態において一定の間隔で離間している。図解されるように、浮遊電極は、少なくともいくつかの実施形態において、およそ数十ミクロンになり得る長さｌおよび幅ｗを有する。しかしながら、浮遊電極素子の長さが増加するにつれて、プロセスの収率は、本明細書に後述されるように、増加し得る。
【００１３】
駆動された送信電極と、定期的に離間した、電気的に浮遊した電極との組み合わせは、同一の層を用いて形成されることが可能であり、また、この第１の層（駆動電極素子および浮遊電極素子の両方を備えた駆動層を有する）と、受信層として動作する異なる平面上に配置された第２の層とを用いる２層送信および受信静電容量方式タッチパネルスキームの一部となることが可能である。この受信層は、偏光子の表面、反射防止膜、下部の電極層の上のカバーガラスの表面、ガラス基板の反対側、またはＰＥＴ膜基板の反対側の上、またはスタックアップに積層させるのに適した他の基板材料に光学的に接合された別の膜に配置されることが可能であり、ここで、スタックアップは透明となることが可能であり、かつデバイスディスプレイの頂面上のタッチパネルとして機能することが可能である。収率に対するこのようなパターンの影響は、図２（ｄ）の図表２６０内に図解される。図２（ｄ）で変更された臨界寸法は、区分ｌの長さが増すにつれて、収率が改善することを示している。これは、浮遊電極素子の長さが増加するにつれて、２つの長く広い電極間で短絡するという欠陥の統計的可能性が減少するという事実に起因する。
【００１４】
いったんパターンがエッチングされる、またはさもなければＩＴＯ層に形成されると、短絡の試験または他の品質制御分析が行われ得る。この段階での短絡の試験は、少なくともいくつかの設定において相対的に高価となり得るし、構成および動作において少なくとも多少困難になり得る。あるいは、ＩＴＯストリップ間に任意の欠陥または短絡が存在するかどうかを判定するために、明確に定義されたＩＴＯ間隔に少なくとも部分的に基づいて外観検査が行われ得る。このような外観検査は非常に速度が速く、かつ非常に安価となり得るし、開放短絡試験と同様に正確になり得る。外観検査は光源または造影剤によって実施可能であり、ＩＴＯが存在した場所と除去された場所の相違をハイライトする。例えば、外観検査プロセスは、赤外（ＩＲ）線または紫外（ＵＶ）線を利用可能である、また、適切なカメラ、センサ、センサ配列、または他のこのような構成要素を用いて、反射を検査することが可能である。
【００１５】
ガラスの第１側面、または「頂部」側面上で行われるＩＴＯパターニングにより、図３に図解されるように、従来のプロセスは、ガラスの反対側にカラーフィルタ層３０２を作成するために用いられ得る。「頂上、頂部、一番上」、「前」などの用語は、便宜および説明の目的で用いられ、本明細書にそうでないと明記されない限りは、具体的な方位を要求すると解釈されるべきではないことを理解されたい。小さい間隙を持たない大きなＩＴＯの形質を用いることの利点は、その形質が容易に破損しない、または損傷を受けないことにあり、そのため、ＩＴＯは、最終検査を受けて、いくつかの種類のフォトレジスト層または有機被膜層により保護される必要がない。カラーフィルタプロセスは、ガラス板の１つの側面に対して行われ得、カラーフィルタの処理を行うために用いられる機械が、その現状の形態では非常に強固である裏側のＩＴＯの損傷を回避することを実現するために細心の注意を払う必要はない。
【００１６】
カラーフィルタプロセスの前、それの最中、それが完成した後に、ＴＦＴガラスの構成要素は製造され得るか、および／またはさもなければ取得され得る。ＴＦＴガラスは、このような目的のために用いられたか、またはその後に開発された任意の従来のプロセスを用いて製造され得る。そのプロセスが完成すると、図４の例示のスタック４００において図解されるように、ＴＦＴガラスの構成要素４０８は、カラーフィルタの構成要素４０４に装着され得る。この例におけるカラーフィルタ（ＣＦ）ガラスはおよそ０．５ｍｍの厚さであり、その結果、未加工のＣＦガラスの厚さは、減量プロセスを要求することなく用いられ得る。底部（ＴＦＴガラス）は、従来の減量プロセスを用いることにより、例えば、およそ０．２５ｍｍの厚さまで減少して、こうして、非対称ＬＣＤエッチングプロセスとなる。その間にＣＦ層４０６を有するＣＦおよびＴＦＴの構成要素は、例えば、長方形のパターンに描かれ、最初にＴＦＴガラス上に配置された接着剤を用いて装着可能である。液晶材料は、２片のガラスの間の空間に充填され得る一方、２片のガラスは共に押圧されるか、またはさもなければ、接着剤がそれらを共に保持するように接触しあう。ＩＴＯパターン４０２は、図２（ｃ）について記述されているように、カバーガラスの頂面に存在し得る。ＴＦＴガラスが付加される前に、ＩＴＯ層が形成され得ると同時に、例えば、いくつかの実施形態において、ＴＦＴおよびＣＦガラス素子が接続された後、ＩＴＯは堆積し得る。このような手法は、低温堆積プロセスを要求することが可能であるが、少なくともいくつかの実施形態において、高温プロセスと同様のレベルの光学性能は提供しないかもしれない。「頂上、頂部、一番上」および「底部」などの用語は、説明の目的で用いられ、本明細書にそうでないと明記されない限りは、具体的な方位を要求すると解釈されるべきではないことを理解されたい。少なくともいくつかの実施形態において、別のガラスの細線化は、ＩＴＯが堆積する前であるがＴＦＴおよびＣＦ層が接続した後に、行われ得る。
【００１７】
図５の状態５００において図解されるように、バルク板は、対象となるデバイスのディスプレイ（例えば、ＬＣＤ）とほぼ同じ大きさである個々のセル５０２に分割され得る。２．５メートル×２．５メートルの板に関して、例えば、セルはそれぞれ、およそ１００ｍｍ×１５０ｍｍとなり得る。分割または切り込みプロセスは、例えば、砥石車またはガラス切り車を用いることにより行うことが可能であり、このプロセスで、板の表面には線が刻まれ、２つの表面を折り曲げることによりガラスは破壊される。少なくとも１つの例において、頂部および底部には両方ともに線が刻まれることが可能であり、頂部および底部のガラス板の大きさの違いにより、２つの異なる場所に刻まれてもよい。別のこのようなプロセスとともに、レーザーエッチングプロセスも中断しながら用いられ得る。
【００１８】
図６の図面６００は、分割後、個々のセルを図解する。フレキシブルプリント回路（ＦＰＣ）６０２または他の適切なコネクタは、所定の従来のデバイスにおけるように、金属配線を必要とせず、ＩＴＯに直接、接合されることなどにより、セルに装着され得る。少なくともいくつかの実施形態において、異方性導電性膜（ＡＣＦ）接合が用いられることが可能であり、いくつかの実施形態において、ＦＰＣは、他のＦＰＣがＴＦＴ側に装着されるのと同時に装着されることが可能であるため、プロセス全体の効率が高まる。
【００１９】
図７のスタックの側面図７００に図解されるように、一対の偏光子７０２、７０４は、ＦＰＣの接合後に、装着され得る。偏光子層は、およそ０．１ｍｍの厚さなどの任意の適切な厚さを有することができる。接合ヘッドからの熱伝導は、偏光子内に移行する可能性があり、偏光子は、その動作温度以上に加熱されると損傷を受ける可能性があるため、偏光層を装着する前にＦＰＣ接合および適切な冷却を行うことが望ましくあり得る。上部および下部の偏光子７０２、７０４は、互いに対して９０度位相がずれて偏光し（または位置付けられ）、その結果、底面を介して送信されるバックライトからの光（図示せず）は、駆動時に液晶層により（吸収および再送信の際）偏光が変更されない限り、ほぼ完全に減衰されることになる。最終的に、光は、液晶により、効率的に点灯および消灯し得る。
【００２０】
層状構造８０４は、その後、図８の側面図８００に図解されるように、タッチパネル８０２の別の部分と組み合わせることが可能になる。この例では、カバーガラス８０８およびＩＴＯ膜８１０を含むタッチパネル部分は、いくつかの異なる方法で製造可能である。１つのこのような手法は、ＰＥＴ（テレフタル酸ポリエチレン）を含むＩＴＯ層、または内蔵された、カバーガラス表面に直接、付着可能な光学透明接着剤（ＯＣＡ）８１２の光学的に透明な片を有するシクロオレフィン膜を付着することを含む。カバーガラスは、およそ０．５ｍｍから１．５ｍｍの厚さを有することができる。ＩＴＯパターンを有するＩＴＯ膜の厚さは、２０ミクロンから２００ミクロンなどの厚さの範囲内で変更可能である。ＩＴＯ層は、受信（ＲＸ）構造または第２の組の電極を有するように構成されることが可能であり、受信（ＲＸ）構造または第２の組の電極は、下部送信（ＴＸ）電極構造の「上部」に配置されるであろう。受信電極は、その下のカラーフィルタと同一の層上ではなく、ユーザの指８０６が接触する場所の付近に配置されている。ＩＴＯパターンは、先述のように、ストリップ間に様々な電気的に浮遊するＩＴＯ片を有する、一連の狭いストリップであり得る。パターンはまた、ストリップおよびダイアモンドの組み合わせであり得る様々な異なるパターンを形成するＩＴＯ電極層、または電気的に互いに結合した一連の複数のストリップを含み得る。ＩＴＯ活性化領域間の空間は、いくつかの実施形態において、完全にエッチングされ得るか、またはＩＴＯの浮遊片が残るように部分的にエッチングされ得る。いずれの場合においても、例えば、ＩＴＯ膜に配置されるか、またはカバーガラスに直接、配置されるかにかかわらず、ＩＴＯ層は、下部アセンブリ上に配置される。いくつかの実施形態において、ブラックマスクは、カバーガラスの表面上に位置付けられることが可能であり、これは、典型的にＬＣＤ活性化領域周辺の領域を完全にマスクするように行われる。ＩＴＯはブラックマスクに堆積することが可能であり、その後、ＩＴＯの形質間の領域がエッチングされ、パターンを形成する。このようなプロセスは、非常に薄いスタックをもたらし得る。図９は最終アセンブリの図面９００を示し、各部分は組み合わされ、ＩＴＯはカラーフィルタパターンの上に位置付けられる。ＩＴＯ膜は、実際にカバーガラスに付着される必要はないため、いくつかの実施形態では、同様に、実際には、偏光子に付着され得る。
【００２１】
別の実施形態において、ＩＴＯおよび偏光子は１つの材料に組み合わされられ得る。ＩＴＯは偏光子の頂面に直接、堆積されることが可能であり、その後、ＩＴＯが典型的にパターン化される方法とは異なる可能性のある方法で、パターン化される。パターニングは、ウェットエッチプロセスとは対称的に、ドライエッチプロセス（例えば、反応イオンエッチング）を用いて行われ得る。ドライエッチの使用により、偏光子のＰＶＡ（ポリ酢酸ビニル）構造の破壊が回避される。ＩＴＯのレーザー切断は、ＩＴＯがカバーガラス上に形成されているときにも用いられ得る。別の可能な方法は、１つの表面上にＩＴＯパターンを有するガラス片を使用する。
【００２２】
後の工程で、全体のアセンブリは共に積層され得る。完全な積層プロセスは、さもなければデバイスを空気に対して感応させ得る空隙、湿気、および、例えばデバイスを事実上使用不可にさせ得る圧力を防ぐことが可能である。このため、この種の実装は完全な積層を要求し得る。
【００２３】
このようなプロセスは、将来、効率的に拡大縮小するような様々な製造プロセスを活用するタッチパネルのための構造を提供し得る。興味深いが実践するのは難しい１つのプロセスは、（ガラス片の頂部および底部上に）二重層構造のＩＴＯパターンを含む。しかしながら、本明細書で論じられる構造は、従来の手法よりも単純かつ安価であり、拡大縮小可能な製造プロセスを活用する独特のプロセスである。このようなプロセスは、典型的にＩＴＯの表面上に短絡を発生させる、またはその表面を開口させ得る、埃の粒子、欠陥、および混入物質の大きさと比較して、非常に大きなＩＴＯのパターンの形質を利用し、こうして、高生産の可能性を有するようになる。これは重要である、なぜなら、大きなカラーガラスに関して収率が高くない場合、背面のＴＦＴ／ＬＣＤガラスにカバーガラスを装着するとき、装着すべきカラーフィルタのうちのどれにするかについては非常に限定的な選択となるからである。すべての片は概して、一度に装着されなければならなくなる。いくつかの数の不完全な片がある場合、これらの片には実際にはそのカラーフィルタが付随しており、底部ＬＣＤを破壊する。また、従来の単一の層の従来のプロセスは４つのマスキング工程（低収率をもたらす）を要求し、本明細書で論じられるプロセスは、このような工程を１つだけ利用する。ＩＴＯが最初にパターン化され、その後、被膜層または金属層を使用する代わりのさらなる処理は存在しない。その代わりに、ＩＴＯは、金属配線によってＦＰＣに直接、接合して、感応回路に接続する。その上、このようなプロセスは相対的に、行うのが容易である。このようなプロセスは、ＬＣＤまたは同様の構成要素に干渉しない「駆動層」を製造する。
【００２４】
図１０は、様々な実施形態に従って利用され得るタッチパネルアセンブリを製造するための例示のプロセス１０００を図解する。本明細書で論じられるこのプロセスおよび他のプロセスについて、別途述べられない限り、様々な実施形態の範囲内で同様または代替の順序で行われるか、または並行して行われるさらなる工程、より少ない工程、または代替の工程が存在し得ることを理解されたい。この例において、ＩＴＯなどの導電性材料の層は、ガラス板の上に堆積される１００２。適切なパターンはエッチングされ得る１００４、またはさもなければ、各々が各タッチディスプレイとともに用いられるように設計された、複数の組の導電性ストリップを形成するなどのために、ＩＴＯ層に形成される。カラーフィルタは、導電性ＩＴＯパターン層の表面の反対側にある表面を用いて、ガラス上に形成され得る１００６。ＴＦＴガラスまたは同様の層はその後、カラーフィルタ層に装着され得る１００８。液晶材料は、スタックのガラス層間の空間を充填する１０１０ために用いられ得る。いったんスタックが形成されると、スタックは、一組の個々のセルに分割され得る１０１２。記述されたように、セルは、ほぼ、対象となるコンピュータデバイスの表示画面の大きさなどの任意の適切な大きさになり得る。１つ以上のコネクタは、その後、接合され得る１０１４、またはさもなければ、適切な接合技術を用いて各セルに接続される。上部偏光子および下部偏光子は、各セルの反対側に装着されることが可能であり１０１６、少なくともいくつかの実施形態において、偏光子は９０度位相がずれている。その後、各セルは、ＩＴＯ導体パターンを有する少なくとも１つのカバーガラス層を含むタッチパネルスタックと組み合わせることが可能となる１０１８。最後のセルスタックは、それぞれ積層されることが可能であり１０２０、適切な電子デバイス内の設置に備える。
【００２５】
図１１は、様々な実施形態に従って用いられ得る例示の電子ユーザデバイス１１００を図解する。携帯用コンピュータデバイス（例えば、電子ブックリーダまたはタブレットコンピュータ）が示されているが、入力を受信、決定、および／または処理することができる任意の電子デバイスを本明細書で論じられる様々な実施形態に従って用いてもよく、このようなデバイスには、例えば、デスクトップコンピュータ、ノートブックコンピュータ、パーソナルデータアシスタント、スマートフォン、ビデオゲームコンソール、テレビ受像機セットトップボックス、および携帯用媒体プレーヤが含まれてもよいことを理解されたい。この例において、コンピュータデバイス１１００は、前側上に、表示画面１１０２を有し、この表示画面は、通常の動作において、表示画面（例えば、表示画面としてのコンピュータデバイスの同一側面上）に対面するユーザに対して情報を表示する。しかしながら、サーバなどのコンピュータデバイスは、専有の表示素子を有していなくてもよいことを認識すべきである。例示のコンピュータデバイス１１００は、ネットワークインターフェースカード、無線ネットワーク構成要素などの少なくとも１つのネットワーク構成要素１１０４も含み、コンピュータデバイスが、少なくとも１つのネットワークを介して情報を伝達できるようにする。
【００２６】
図１２は、図１１を参照して説明されるデバイス１１００などの例示のコンピュータデバイス１２００の一組の一般的な構成要素の論理配列を図解する。この例において、デバイスは、メモリデバイスまたは素子１２０４に記憶され得る命令を実行するプロセッサ１２０２を備える。当業者にとって自明であるように、デバイスは、多くの種類のメモリ、データ記憶装置、またはプロセッサ１２０２による実行用のプログラム命令に関する第１のデータ記憶装置などの非一時的なコンピュータ可読記憶媒体、画像またはデータ用の分離した記憶装置、情報を他のデバイスと共有するための着脱式メモリなどを備え得る。携帯型メディアプレーヤなどのデバイスは、オーディオスピーカを介するなど他の手段を介して情報を媒介してもよいが、デバイスは典型的に、タッチスクリーンまたは液晶ディスプレイ（ＬＣＤ）などのいくつかの種類の表示要素１２０６を備える。いくつかの実施形態において、図１２のコンピュータデバイス１２００は、Ｗｉ−Ｆｉ、Ｂｌｕｅｔｏｏｔｈ（登録商標）、ＲＦ、有線、または無線通信システムなどの１つ以上のネットワークおよび／または通信要素１２０８を備え得る。多くの実施形態におけるデバイスは、インターネットなどのネットワークと通信可能であり、他のこのようなデバイスと通信可能であってもよい。いくつかの実施形態において、デバイスは、ユーザから従来の入力を受信できる少なくとも１つの付加的な入力構成要素１２１０を備え得る。この従来の入力は、例えば、プッシュボタン、タッチパッド、タッチスクリーン、ハンドル、ジョイスティック、キーボード、マウス、キーパッド、または、それによってユーザがコマンドをデバイスに入力できる任意の他のこのようなデバイスまたは素子を備え得る。しかしながら、いくつかの実施形態において、このようなデバイスはボタンを全く備えていなくてもよいし、視覚的および聴覚的なコマンドの組み合わせのみを介して制御されてもよく、その結果、ユーザは、デバイスと接触する必要なくデバイスを制御し得る。
【００２７】
論じられるように、異なる手法は、説明された実施形態に従って様々な環境において実装され得る。認識されるように、ウェブベース環境は様々な例における説明の目的で用いられるが、様々な実施形態を実装するために、必要に応じて異なる環境が用いられてもよい。このようなシステムは、適切なネットワークを介して要求、メッセージまたは情報を送信および受信し、情報をデバイスのユーザに戻すように動作可能な任意の適切なデバイスを含み得る電子クライアントデバイスを備え得る。このようなクライアントデバイスの例は、パーソナルコンピュータ、携帯電話、手持ちメッセージングデバイス、ラップトップコンピュータ、セットトップボックス、携帯情報端末、電子ブックリーダなどを含む。ネットワークは、イントラネット、インターネット、セルラーネットワーク、ローカルエリアネットワーク、または任意の他のこのようなネットワークもしくはこれらの組み合わせを含む任意の適切なネットワークを備え得る。このようなシステムに用いられる構成要素は、ネットワークおよび／または選択された環境の種類に少なくともある程度依存し得る。このようなネットワークを介して通信するためのプロトコルおよび構成要素は周知であるため、本明細書に詳細に論じられない。ネットワークを介する通信は、有線または無線接続およびそれらの組み合わせを介して可能となり得る。他のネットワークに関しては、当業者にとって自明であるように、同様の目的を提供している代替のデバイスが用いられ得るが、この例において、環境は要求を受信し、かつそれに応答してコンテンツを提供するためのウェブサーバを含むため、ネットワークはインターネットを含む。
【００２８】
例示される環境は、少なくとも１つのアプリケーションサーバおよびデータ蓄積を含む。連鎖されていてもよい、またはさもなければ構成されてもよい、いくつかのアプリケーションサーバ、層、または他の素子、プロセスまたは構成要素が存在することが可能であり、それらは、適切なデータ蓄積からのデータの取得などのタスクを行うために相互作用し得ることが理解されるべきである。本明細書で用いられているように、「データ蓄積」という用語は、データを記憶し、データにアクセスし、データを取り出すことができる任意のデバイスまたはデバイスの組み合わせを指し、それは任意の標準の分布したまたはクラスタ化した環境において、任意の組み合わせおよび任意の数のデータサーバ、データベース、データ記憶デバイス、およびデータ記憶媒体を含んでもよい。アプリケーションサーバは、クライアントデバイスに関する１つ以上アプリケーションの態様を実行するために必要に応じてデータ蓄積と統合させるための、また、アプリケーションに関するデータアクセスおよびビジネスロジックの大部分を取り扱うための、任意の適切なハードウェアおよびソフトウェアを含むことが可能である。アプリケーションサーバは、データ蓄積と連携してアクセス制御サービスを提供し、ＨＴＭＬ、ＸＭＬ、またはこの例における別の適切に構成された言語形態でウェブサーバによってユーザに提供されてもよい、ユーザに送信されるべきテキスト、画像、音響および／または映像などのコンテンツを生成することが可能である。すべての要求および応答の取り扱いは、クライアントデバイスおよびアプリケーションサーバ間のコンテンツの配信と同様、ウェブサーバによって取り扱われ得る。本明細書で論じられる構成されたコードは、本明細書の他の箇所で論じられる任意の適切なデバイスまたはホストマシーンで実行され得るため、ウェブおよびアプリケーションサーバは必要とされず、単に例示の構成要素にすぎないことを理解されたい。
【００２９】
各サーバは典型的に、一般的な管理およびそのサーバの動作に関する実行可能なプログラム命令を提供するオペレーティングシステムを備え、サーバのプロセッサにより実行されるとき、サーバに、その意図する機能を行わせる非一時的なコンピュータ可読媒体記憶命令を典型的に備える。オペレーティングシステムに好適な実装およびサーバの一般的な機能性は知られているか、または商業的に入手可能であり、当業者によって特に本明細書の開示に照らして容易に実装される。
【００３０】
１つの実施形態における環境は、１つ以上コンピュータネットワークまたは直接接続を用いて、いくつかのコンピュータシステムおよびコミュニケーションリンクを介して相互接続された構成要素を利用する分散型のコンピューティング環境である。しかしながら、当業者であれば、このようなシステムが、論じられるものよりも少数または多数の構成要素を有するシステムにおいて同等に良好に動作し得ることを認識する。このように、システムの図示は、実際は例示的であると把握され、開示の範囲に限定されるべきではない。
【００３１】
上述のように、様々な実施形態は、多種多様の動作環境において実装され得、いくつかの場合には、１つ以上ユーザコンピュータ、コンピュータデバイス、またはいくつかのアプリケーションのうちいずれかを動作させるために用いられ得るプロセッシングデバイスを含み得る。ユーザまたはクライアントデバイスは、モバイルソフトウェアおよびいくつかのネットワークおよびメッセージングプロトコルを支持可能なセルラ、無線、および手持ちデバイスとともに、標準のオペレーティングシステムを起動するデスクトップまたはラップトップコンピュータなどのいくつかの汎用のパーソナルコンピュータのうちのいずれかを備え得る。このようなシステムはまた、様々な市販のオペレーティングシステムのうちのいずれか、および開発およびデータベース管理などの目的のための他の既知のアプリケーションを起動するいくつかのワークステーションも備え得る。これらのデバイスはまた、擬似端末、シンクライアント、ゲームシステム、およびネットワークを介して通信可能な他のデバイスなどの他の電子デバイスも備え得る。
【００３２】
様々な態様は、少なくとも１つのサービスまたはウェブサービスの一部としても実装されてもよく、これは、サービス指向アーキテクチャの一部として実施されてもよい。ウェブサービスなどのサービスは、拡張マークアップ言語（ＸＭＬ）形式のメッセージなどの任意の適切な種類のメッセージングを用いて通信可能であり、また、ＳＯＡＰ（「シンプルオブジェクトアクセスプロトコル」に由来する）などの適切なプロトコルを用いて交換され得る。このようなサービスによって供給されるまたは実行されるプロセスは、ウェブサービス記述言語（ＷＳＤＬ）などの任意の適切な言語で書かれ得る。ＷＳＤＬなどの言語の使用により、様々なＳＯＡＰフレームワークにおけるクライアントサイドコードの自動生成などの機能性が可能になる。
【００３３】
ほとんどの実施形態は、当業者に周知の、ＴＣＰ／ＩＰ、ＯＳＩ、ＦＴＰ、ＵＰｎＰ、ＮＦＳ、ＣＩＦＳ、およびＡｐｐｌｅＴａｌｋなどの様々な市販のプロトコルのうちのいずれかを用いて通信を支援するための少なくとも１つのネットワークを利用する。ネットワークは、例えば、ローカルエリアネットワーク、ワイドエリアネットワーク、仮想プライベートネットワーク、インターネット、イントラネット、エクストラネット、公衆交換電話網、赤外線ネットワーク、無線ネットワーク、およびそれらの任意の組み合わせであり得る。
【００３４】
ウェブサーバを利用する実施形態において、ウェブサーバは、ＨＴＴＰサーバ、ＦＴＰサーバ、ＣＧＩサーバ、データサーバ、Ｊａｖａ（登録商標）サーバ、およびビジネスアプリケーションサーバを含む様々なサーバまたは中間層アプリケーションのうちのいずれかを起動し得る。サーバ（複数を含む）はまた、Ｊａｖａ（登録商標）、Ｃ、Ｃ＃またはＣ＋＋などの任意のプログラム言語、またはＰｅｒｌ、Ｐｙｔｈｏｎ、またはＴＣＬなどの任意のスクリプト言語、およびそれらの組み合わせで書かれた、１つ以上のスクリプトまたはプログラムとして実装されてもよい１つ以上のウェブアプリケーションを実行することなどにより、ユーザデバイスからの応答要求におけるプログラムまたはスクリプトを実行可能であってもよい。サーバ（複数を含む）は、Ｏｒａｃｌｅ（登録商標）、Ｍｉｃｒｏｓｏｆｔ（登録商標）、Ｓｙｂａｓｅ（登録商標）、およびＩＢＭ（登録商標）から販売されている市販のデータベースサーバを含んでもよいがこれらに限定されるものではない。
【００３５】
環境は、様々なデータ蓄積および上述のような他のメモリおよび記憶媒体を含み得る。これらは、１つ以上のコンピュータに対してローカル接続の（および／またはそれらに常駐する）、またはネットワークに接続されたコンピュータのいずれかまたはすべてから離間した記憶媒体上などの様々な場所に存在し得る。特定の組の実施形態において、情報は当業者に周知の記憶領域ネットワーク（「ＳＡＮ」）に常駐してもよい。同様に、コンピュータ、サーバ、またな他のネットワークデバイスに起因する機能を行うための任意の必要なファイルは、必要に応じて、局所的、および／または離間して記憶されてもよい。システムがコンピュータ化されたデバイスを含む場合、そのようなデバイスはそれぞれ、バスを介して電気的に結合されてもよいハードウェア素子を含むことが可能であり、素子は、例えば、少なくとも１つの中央処理装置（ＣＰＵ）、少なくとも１つの入力デバイス（例えば、マウス、キーボード、コントローラ、タッチスクリーン、またはキーパッド）、および少なくとも１つの出力デバイス（例えば、表示デバイス、プリンタ、またはスピーカ）を含む。このようなシステムはまた、ディスクドライブ、光学記憶デバイス、取り外し可能なメディアデバイス、メモリーカード、フラッシュカードなどに加えてランダムアクセスメモリ（「ＲＡＭ」）またはリードオンリーメモリ（「ＲＯＭ」）などの固体記憶デバイスなどの１つ以上の記憶デバイスも含んでもよい。
【００３６】
このようなデバイスはまた、コンピュータ可読記憶媒体読み取り機、通信デバイス（例えば、モデム、ネットワークカード（無線または有線）、赤外線通信デバイスなど）、および上述されるような作業メモリを含み得る。コンピュータ可読記憶媒体読み取り機は、遠隔、ローカル、固定、および／または取り外し可能な記憶デバイスを代表するコンピュータ可読記憶媒体、ならびにコンピュータ可読情報を一時的および／またはより永久的に含み、記憶し、送信し、かつ取り出すための記憶媒体に接続され得るか、またはそれらを受信するように構成され得る。システムおよび様々なデバイスはまた、典型的に、いくつかのソフトウェアアプリケーション、モジュール、サービス、またはオペレーティングシステムおよびクライアントアプリケーションまたはウェブブラウザなどのアプリケーションプログラムを含む少なくとも１つの作業メモリデバイス内に設けられた他の要素も含む。代替の実施形態は、上述の要素の多くの変更例を有してもよいことを認識されたい。例えば、専用ハードウェアが用いられてもよいし、および／または特定の要素がハードウェア、ソフトウェア（アプレットなどの携帯用ソフトウェアを含む）、またはその両方において実装されてもよい。さらに、ネットワーク入力／出力デバイスなどの他のコンピュータデバイスに対する接続が採用されてもよい。
【００３７】
コード、またはコードの一部を含むための記憶媒体およびコンピュータ可読媒体は、当分野で既知のまたは当分野で用いられる任意の適切な媒体を含むことが可能であり、その媒体は、コンピュータ可読命令、データ構造、プログラムモジュール、または他のデータなどの、情報の記憶および／または送信のための任意の方法または技術で実装される揮発性および不揮発性、取り外し可能および取り外し不可能な媒体を含むがそれらに限定されない記憶媒体および通信媒体を含み、記憶媒体および通信媒体は、所望の情報を記憶するために用いられ得る、またシステムデバイスによってアクセスされ得るＲＡＭ、ＲＯＭ、ＥＥＰＲＯＭ、フラッシュメモリまたは他のメモリ技術、ＣＤ−ＲＯＭ、デジタル多用途ディスク（ＤＶＤ）または他の光学式記憶装置、磁気カセット、磁気テープ、磁気ディスク記憶装置または他の磁気記憶デバイス、または任意の他の媒体を含む。本明細書に提供された開示や教示に基づいて、当業者であれば、様々な実施形態を実装するための他の手法および／または方法を認識するであろう。
【００３８】
したがって、明細書および図面は、限定的意味よりむしろ例示的であるとみなされるべきである。しかしながら、特許請求の範囲に記載された発明の広義な精神および範囲から逸脱することなく、それらに対して様々な修正および変更がなされてもよいことは明らかである。
【００３９】
付記
付記１．  タッチパネルアセンブリを形成する方法であって、
ガラス板の第１の表面に導電性材料層を堆積することと、
導電性材料を第１の組の電極にパターニングすることと、
前記ガラス板の第２の表面上にカラーフィルタ層を形成することであって、前記第２の表面が前記第１の表面の反対側にある、形成することと、
薄膜トランジスタ（ＴＦＴ）表示層を形成することと、
接着剤を用いて薄膜トランジスタ（ＴＦＴ）表示層を前記カラーフィルタ層に接続して、中間スタックを作成することと、
前記中間スタックにおける前記ＴＦＴ表示層と前記カラーフィルタ層との間の空間に液晶材料層を注入することと、
少なくとも１つの電気コネクタを前記中間スタックに接合することと、
第１の偏光子を前記中間スタックの上面に、かつ第２の偏光子を前記中間スタックの下面に接続することであって、前記第１の偏光子が、前記第２の偏光子の第２の偏光に対して約９０度に配向された第１の偏光を有する、接続することと、
一番上のスタックを前記第１の偏光子に接続して最後のスタックを形成することであって、前記一番上のスタックは、少なくともカバーガラス板およびパターン化された上部導体層を含み、前記パターン化された上部導体層は第２の組の電極を形成する、形成することと、を含む、方法。
【００４０】
付記２．  前記最後のスタックを積層させることをさらに含む、付記１に記載の方法。
【００４１】
付記３．  前記中間スタックを複数のセルに分割するために、前記中間スタックにパターンを切り込むことをさらに含む、付記１に記載の方法。
【００４２】
付記４．  前記導電性材料層内の前記第１の組の電極の２つの電極間に浮遊電極素子を形成することであって、前記浮遊電極素子は前記２つの電極から電気的に絶縁される、形成することをさらに含む、付記１に記載の方法。
【００４３】
付記５．  前記ガラス板の前記第１の表面上に対する前記導電性材料層の前記堆積は、前記カラーフィルタ層を前記ガラス板の前記第２の表面に形成する前、または後のどちらかに行われる、付記１に記載の方法。
【００４４】
付記６．  タッチパネルアセンブリを形成する方法であって、
ガラス板の第１の表面に堆積した導電性材料層内に電極パターンを形成することと、
前記ガラス板の第２の表面上にカラーフィルタ層を形成することであって、前記第２の表面が前記第１の表面の反対側にある、形成することと、
薄膜トランジスタ（ＴＦＴ）表示層を前記カラーフィルタ層に接続して、中間スタックを作成することと、
前記ＴＦＴ表示層の少なくとも一部と前記カラーフィルタ層との間に液晶材料を配置することと、
少なくとも１つの電気コネクタを前記中間スタックに接続することと、
第１の偏光子を前記中間スタックの上面に、かつ第２の偏光子を前記中間スタックの下面に接続することであって、前記第１の偏光子が、前記第２の偏光子の第２の偏光に対して約９０度に配向された第１の偏光を有する、接続することと、
カバーガラス板を前記接続スタックに接続して、前記タッチパネルアセンブリを形成することであって、前記カバーガラスが、その上に形成された第２の組の電極を形成するパターン化された上部導電性層を有する、形成することと、を含む、方法。
【００４５】
付記７．  前記タッチパネルアセンブリを積層することをさらに含む、付記６に記載の方法。
【００４６】
付記８．  前記ガラス板を複数の個々のセルに分割するために、前記カラーフィルタ層およびＴＦＴ表示層で前記ガラス板にパターンを切り込むことをさらに含む、付記６に記載の方法。
【００４７】
付記９．  前記少なくとも１つの電気コネクタを前記中間スタックに接続することは、前記少なくとも１つの電気コネクタのうちの１つの電気コネクタを前記個々のセルのうちの１つに接続することを含む、付記８に記載の方法。
【００４８】
付記１０．  前記個々のセルはそれぞれ、関連した種類の表示デバイスに対応する大きさを有する、付記８に記載の方法。
【００４９】
付記１１．  前記電極パターンは、前記導電性材料層内に形成された複数の平行なストリップを含む、付記６に記載の方法。
【００５０】
付記１２．  前記電極パターンは、一対の前記平行なストリップの間に浮遊電極素子をさらに含む、付記１１に記載の方法。
【００５１】
付記１３．  使用される前記浮遊素子の長さを調整することをさらに含み、前記浮遊電極の前記長さの増加は、前記一対の前記平行なストリップの間の電気的短絡の可能性を低減させる、付記１２に記載の方法。
【００５２】
付記１４．  前記導電性材料層は、インジウムスズ酸化物（ＩＴＯ）、グラフェン、カーボンナノチューブ、または金属メッシュのうちの少なくとも１つを含む、付記６に記載の方法。
【００５３】
付記１５．  少なくとも前記第１の偏光子を接続する前に、前記電極パターンに対して短絡の試験を行うことをさらに含む、付記６に記載の方法。
【００５４】
付記１６．  タッチパネルスタックであって、
カバーガラス層と、
前記カバーガラス層の第１の表面に近接して位置付けられた第１の偏光子と、
前記カバーガラス層の第２の表面上に形成された第１の組の電極であって、前記第２の表面が前記第１の表面の反対側にある、第１の組の電極と、
薄膜トランジスタ（ＴＦＴ）表示構成要素と、
前記カバーガラス層と前記ＴＦＴ表示構成要素との間に位置付けられたガラス板であって、前記ガラス板がその上に形成されたカラーフィルタ層を有する、ガラス板と
前記ガラス板と前記ＴＦＴ表示構成要素との間の液晶層と、
前記ＴＦＴ表示構成要素の第１の側面に近接した第２の偏光子であって、前記第１の側面が前記ＴＦＴ表示構成要素の第２の側面の反対側にあり、前記ＴＦＴ表示構成要素の前記第２の側面が前記第１の偏光子に近接している、第２の偏光子と、
前記カラーフィルタ層、前記ガラス板、または前記第２の偏光子のうちの少なくとも１つに近接して位置付けられた第２の組の電極であって、前記第２の組の電極が前記第１の組の電極から分離される、第２の組の電極と、を備える、タッチパネルスタック。
【００５５】
付記１７．  前記第１の組の電極または前記第２の組の電極のうちの少なくとも１つに電圧を印加するために少なくとも１つのコネクタをさらに備える、付記１６に記載のタッチパネル。
【００５６】
付記１８．  前記液晶層の状態の制御を可能にする少なくとも１つのコネクタをさらに備え、前記液晶層の前記状態は、前記タッチパネルスタックの透明度を決定する、付記１６に記載のタッチパネルスタック。
【００５７】
付記１９．  前記タッチパネルスタックが積層される、付記１６に記載のタッチパネルスタック。
【００５８】
付記２０．  前記第１の偏光子は、前記第２の偏光子の第２の偏光に対して約９０度に配向された第１の偏光を有する、付記１６に記載のタッチパネルスタック。
【００５９】
付記２１．  前記第１の組の電極または前記第２の組の電極のうちの少なくとも１つは、少なくとも１つの浮遊電極素子によって分離された少なくとも一対の平行なストリップを含むようにパターン化され、前記少なくとも１つの浮遊電極素子は、前記一対の平行なストリップから電気的に絶縁される、付記１６に記載のタッチパネルスタック。
【００６０】
付記２２．  前記第１の組の電極または前記第２の組の電極のうちの少なくとも１つは、インジウムスズ酸化物（ＩＴＯ）、グラフェン、カーボンナノチューブ、または金属メッシュのうちの少なくとも１つから形成される、付記１６に記載のタッチパネルスタック。
以下に、本願出願の当初の特許請求の範囲に記載された発明を付記する。
［１］タッチパネルアセンブリを形成する方法であって、
ガラス板の第１の表面に堆積した導電性材料層内に電極パターンを形成することと、
前記ガラス板の第２の表面上にカラーフィルタ層を形成することであって、前記第２の表面が前記第１の表面の反対側にある、形成することと、
薄膜トランジスタ（ＴＦＴ）表示層を前記カラーフィルタ層に接続して、中間スタックを作成することと、
前記ＴＦＴ表示層の少なくとも一部と前記カラーフィルタ層との間に液晶材料を配置することと、
少なくとも１つの電気コネクタを前記中間スタックに接続することと、
第１の偏光子を前記中間スタックの上面に、かつ第２の偏光子を前記中間スタックの下面に接続することであって、前記第１の偏光子が、前記第２の偏光子の第２の偏光に対して約９０度に配向された第１の偏光を有する、接続することと、
カバーガラス板を前記接続スタックに接続して、前記タッチパネルアセンブリを形成することであって、前記カバーガラスが、その上に形成された第２の組の電極を形成するパターン化された上部導電性層を有する、形成することと、を含む、方法。
［２］前記ガラス板を複数の個々のセルに分割するために、前記カラーフィルタ層およびＴＦＴ表示層とともに前記ガラス板にパターンを切り込むことをさらに含む、［１］に記載の方法。
［３］前記少なくとも１つの電気コネクタを前記中間スタックに接続することは、前記少なくとも１つの電気コネクタのうちの１つの電気コネクタを前記個々のセルのうちの１つに接続することを含む、［２］に記載の方法。
［４］前記個々のセルはそれぞれ、関連した種類の表示デバイスに対応する大きさを有する、［２］に記載の方法。
［５］前記電極パターンは、前記導電性材料層内に形成された複数の平行なストリップを含む、［１］に記載の方法。
［６］前記電極パターンは、一対の前記平行なストリップの間に浮遊電極素子をさらに含む、［５］に記載の方法。
［７］使用される前記浮遊素子の長さを調整することをさらに含み、前記浮遊電極の前記長さの増加は、前記一対の前記平行なストリップの間の電気的短絡の可能性を低減させる、［６］に記載の方法。
［８］前記導電性材料層は、インジウムスズ酸化物（ＩＴＯ）、グラフェン、カーボンナノチューブ、または金属メッシュのうちの少なくとも１つを含む、［１］に記載の方法。
［９］前記タッチパネルアセンブリを積層することをさらに含む、［６］に記載の方法。
［１０］タッチパネルスタックであって、
カバーガラス層と、
前記カバーガラス層の第１の表面に近接して位置付けられた第１の偏光子と、
前記カバーガラス層の第２の表面上に形成された第１の組の電極であって、前記第２の表面が前記第１の表面の反対側にある、第１の組の電極と、
薄膜トランジスタ（ＴＦＴ）表示構成要素と、
前記カバーガラス層と前記ＴＦＴ表示構成要素との間に位置付けられたガラス板であって、前記ガラス板がその上に形成されたカラーフィルタ層を有する、ガラス板と
前記ガラス板と前記ＴＦＴ表示構成要素との間の液晶層と、
前記ＴＦＴ表示構成要素の第１の側面に近接した第２の偏光子であって、前記第１の側面が前記ＴＦＴ表示構成要素の第２の側面の反対側にあり、前記ＴＦＴ表示構成要素の前記第２の側面が前記第１の偏光子に近接している、第２の偏光子と、
前記カラーフィルタ層、前記ガラス板、または前記第２の偏光子のうちの少なくとも１つに近接して位置付けられた第２の組の電極であって、前記第２の組の電極が前記第１の組の電極から分離される、第２の組の電極と、を備える、タッチパネルスタック。
［１１］前記第１の組の電極または前記第２の組の電極のうちの少なくとも１つに電圧を印加するために少なくとも１つのコネクタをさらに備える、［１０］に記載のタッチパネルスタック。
［１２］前記液晶層の状態の制御を可能にする少なくとも１つのコネクタをさらに備え、前記液晶層の前記状態は、前記タッチパネルスタックの透明度を決定する、［１０］に記載のタッチパネルスタック。
［１３］前記第１の偏光子は、前記第２の偏光子の第２の偏光に対して約９０度に配向された第１の偏光を有する、［１０］に記載のタッチパネルスタック。
［１４］前記第１の組の電極または前記第２の組の電極のうちの少なくとも１つは、少なくとも１つの浮遊電極素子によって分離された少なくとも一対の平行なストリップを含むようにパターン化され、前記少なくとも１つの浮遊電極素子は、前記一対の平行なストリップから電気的に絶縁される、［１０］に記載のタッチパネルスタック。
［１５］前記第１の組の電極または前記第２の組の電極のうちの少なくとも１つは、インジウムスズ酸化物（ＩＴＯ）、グラフェン、カーボンナノチューブ、または金属メッシュのうちの少なくとも１つから形成される、［１０］に記載のタッチパネルスタック。
【図１】
0005980962.tif 000002
【図２（ａ）】
0005980962.tif 000003
【図２（ｂ）】
0005980962.tif 000004
【図２（ｃ）】
0005980962.tif 000005
【図２（ｄ）】
0005980962.tif 000006
【図３】
0005980962.tif 000007
【図４】
0005980962.tif 000008
【図５】
0005980962.tif 000009
【図６】
0005980962.tif 000010
【図７】
0005980962.tif 000011
【図８】
0005980962.tif 000012
【図９】
0005980962.tif 000013
【図１０】
0005980962.tif 000014
【図１１】
0005980962.tif 000015
【図１２】
0005980962.tif 000016